(57)【特許請求の範囲】
【請求項１】
ボタン電話装置にドアホンを接続するためのドアホン・アダプタであって、
前記ボタン電話装置の多機能電話機インタフェース部に接続して音声データ及び制御データの送受信を行う第１の接続手段と、
前記ドアホンに接続して２本の線を介してアナログの音声信号の送受信を行うと共に該２本の線に直流電圧を重畳して供給する第２の接続手段と、
前記第１の接続手段で受信した音声データと制御データを分離すると共に、前記ボタン電話装置へ送信する音声データと制御データを多重化する分離多重手段と、
前記分離多重手段で分離された音声データをアナログの音声信号に復号して前記第２の接続手段に出力すると共に、該第２の接続手段から与えられる音声信号を音声データに符号化して前記多重分離手段に出力する符号復号手段と、
前記分離多重手段で分離された制御データに従って所定の処理を行い、その処理結果及び状態情報の制御データを該分離多重手段に出力する処理制御手段とを、
備えたことを特徴とするドアホン・アダプタ。
【請求項２】
前記符号復号手段で復号された音声信号のレベルを調整して前記第２の接続手段に出力すると共に、該第２の接続手段から与えられる音声信号のレベルを調整して該符号復号手段に出力するレベル調整手段を設けたことを特徴とする請求項１記載のドアホン・アダプタ。
【請求項３】
前記レベル調整手段は、前記符号復号手段で復号された音声信号のレベルに基づいて、前記第２の接続手段から与えられる音声信号のレベルを調整して該符号復号手段に出力することを特徴とする請求項２記載のドアホン・アダプタ。
【請求項４】
前記ドアホンに接続される２本の線に重畳された直流電圧を検出する電圧検出手段を設けると共に、
前記処理制御手段は、前記電圧検出手段で検出された直流電圧に基づいて、前記レベル調整手段における音声信号のレベルの調整を制御するように構成したことを特徴とする請求項２または３記載のドアホン・アダプタ。
【発明の詳細な説明】
【０００１】
【発明の属する技術分野】
本発明は、オフィス等で使用されるボタン電話装置と呼ばれる小規模な電話交換装置に、ドアホンを接続するためのドアホン・アダプタに関するものである。
【０００２】
【従来の技術】
図２は、従来のボタン電話装置の一例を示す構成図である。
このボタン電話装置は、外線側の通信回線と内線側の電話機等との間の接続制御を行うと共に、内線側の電話機相互間の接続制御を行うもので、回線インタフェース部（以下、「回線Ｉ／Ｆ」という）１１、一般電話機インタフェース部（以下、「一般電話機Ｉ／Ｆ」という）１２、多機能電話機インタフェース部（以下、「多機能電話機Ｉ／Ｆ」という）１３、ドアホン・インタフェース部（以下、「ドアホンＩ／Ｆ」という）１４、通話路スイッチ部１５、及び制御部１６を有している。
【０００３】
回線Ｉ／Ｆ１１は、公衆回線や専用回線の通信回線１を収容するものであり、通信回線１がアナログ回線の場合には、この回線Ｉ／Ｆ１１でアナログ／ディジタル変換が行われるようになっている。一般電話機Ｉ／Ｆ１２は、内線側のアナログ式の電話機２やファクシミリ装置３を収容するものである。多機能電話機Ｉ／Ｆ１３は、通常の電話機能に内線転送、短縮ダイヤル、再ダイヤル等の機能が付加されたディジタル式の多機能電話機（ボタン電話とも呼ばれる）４を収容するものである。
【０００４】
ドアホンＩ／Ｆ１４は、出入口のドア付近に設置されて外来者との応対をするためのドアホン５を収容するものである。一般電話機Ｉ／Ｆ１２と電話機２等の間、及びドアホンＩ／Ｆ１４とドアホン５の間は、２線式のアナログ・インタフェースである。一方、多機能電話機Ｉ／Ｆ１３と多機能電話機４の間は、ディジタル・インタフェースとなっている。
【０００５】
通話路スイッチ部１５は、回線Ｉ／Ｆ１１、一般電話機Ｉ／Ｆ１２及び多機能電話機Ｉ／Ｆ１３の間の通話信号の接続を行うと共に、ドアホンＩ／Ｆ１４と一般電話機Ｉ／Ｆ１２及び多機能電話機Ｉ／Ｆ１３の間の通話信号の接続を行うものである。通話路スイッチ部１５は、ディジタル方式の時分割スイッチで構成され、制御部１６によって方路接続先の選択等の制御が行われるようになっている。
【０００６】
このようなボタン電話装置では、ドアホン５と予め指定された単数または複数の電話機２（または多機能電話機４）との間の接続は、次のように行われる。
ドアホン５の呼出ボタン５ａが押下されると、その状態がドアホンＩ／Ｆ１４によって検出され、制御部１６に通知される。制御部１６によって、予め指定された電話機２等とドアホン５に対して、内蔵音源から呼出音を送出するように通話路スイッチ部１５が制御される。これにより、電話機２等とドアホン５から呼出音が出力される。
【０００７】
電話機２等が応答操作（オフフック）を行うと、制御部１６によって通話路スイッチ部１５が制御され、応答した電話機２等とドアホン５との間の通話路が構成される。多機能電話機４の場合は、転送操作等によって他の電話機２や多機能電話機４とも接続することができる。
【０００８】
通話が終了して電話機２等が終話操作（オンフック）を行うと、制御部１６によって通話路スイッチ部１５が制御され、構成されていた通話路が解放される。
【０００９】
【発明が解決しようとする課題】
しかしながら、従来のボタン電話装置では、次のような課題があった。
ボタン電話装置の本体内にドアホンＩ／Ｆ１４を収容しているので、価格が高くなりドアホンを使用しないユーザにとっては負担が大きくなる。また、ドアホンＩ／Ｆをオプションとする場合には、組み込み作業やデータ設定を設置時に行う煩わしさがある。また、標準実装またはオプションにかかわらず、ドアホンＩ／Ｆの収容スペースを確保しておく必要があるので、筐体のサイズが大きくなる。
【００１０】
一方、ドアホン機能を持たないボタン電話装置の場合には、一般の電話機２に代えて、ドアホン機能付電話機を一般電話機Ｉ／Ｆ１２に接続して使用することができる。しかし、その場合には、ドアホンはドアホン機能付電話機との間でしか通話ができず、ボタン電話装置が本来持っている転送機能等を利用することができず、技術的に満足できるものは得られなかった。
【００１１】
本発明は、前記従来技術が持っていた課題を解決し、ボタン電話装置にドアホンを接続するためのドアホン・アダプタを提供するものである。
【００１２】
【課題を解決するための手段】
前記課題を解決するために、本発明の内の第１の発明は、ボタン電話装置にドアホンを接続するためのドアホン・アダプタにおいて、前記ボタン電話装置の多機能電話機Ｉ／Ｆに接続して音声データ及び制御データの送受信を行う第１の接続手段と、前記ドアホンに接続して２本の線を介してアナログの音声信号の送受信を行うと共に該２本の線に直流電圧を重畳して供給する第２の接続手段と、前記第１の接続手段で受信した音声データと制御データを分離すると共に、前記ボタン電話装置へ送信する音声データと制御データを多重化する分離多重手段を供えている。
【００１３】
更にこのドアホン・アダプタは、前記分離多重手段で分離された音声データをアナログの音声信号に復号して前記第２の接続手段に出力すると共に、該第２の接続手段から与えられる音声信号を音声データに符号化して前記多重分離手段に出力する符号復号手段と、前記分離多重手段で分離された制御データに従って所定の処理を行い、その処理結果及び状態情報の制御データを該分離多重手段に出力する処理制御手段を備えている。
【００１４】
第２の発明は、第１の発明において、符号復号手段で復号された音声信号のレベルを調整して第２の接続手段に出力すると共に、該第２の接続手段から与えられる音声信号のレベルを調整して該符号復号手段に出力するレベル調整手段を設けている。
【００１５】
第３の発明は、第２の発明におけるレベル調整手段を、符号復号手段で復号された音声信号のレベルに基づいて、第２の接続手段から与えられる音声信号のレベルを調整して該符号復号手段に出力するように構成している。
【００１６】
第４の発明は、第２または第３の発明において、ドアホンに接続される２本の線に重畳された直流電圧を検出する電圧検出手段を設けると共に、処理制御手段を、電圧検出手段で検出された直流電圧に基づいて、レベル調整手段における音声信号のレベルの調整を制御するように構成している。
【００１７】
本発明によれば、以上のようにドアホン・アダプタを構成したので、次のような作用が行われる。
ボタン電話装置の多機能電話機Ｉ／Ｆに第１の接続手段が接続され、音声データと制御データの送受信が行われる。一方、第２の接続手段には２線式のドアホンが接続され、音声信号の送受信と直流電圧の供給が行われる。
【００１８】
制御データと音声データは分離多重手段によって分離または多重化され、制御データは処理制御手段との間で入出力され、音声データは符号復号手段との間で入出力される。符号復号手段では、音声データがアナログの音声信号に復号されて第２の接続手段に出力されると共に、第２の接続手段側から与えられた音声信号が音声データに符号化される。
【００１９】
一方、処理制御手段では、ボタン電話装置側から与えられる制御データに従って所定の処理が行われ、その処理結果及び状態情報の制御データが出力され、分離多重手段を介してボタン電話装置側へ送信される。
【００２０】
【発明の実施の形態】
図１は、本発明の実施形態を示すドアホン・アダプタの構成図である。
このドアホン・アダプタは、ボタン電話装置側の多機能電話機Ｉ／Ｆに接続するための、モジュラー・ジャック等で構成される第１の接続手段（例えば、回線接続部）２１を有している。回線接続部２１には、パルストランス部２２が接続されている。パルストランス部２２は、多機能電話機Ｉ／Ｆとの間で送受信されるＡＭＩ（Alternate Mark Inversion）符号信号と、これに重畳して多機能電話機Ｉ／Ｆ側から供給される直流電源とを分離するのものである。パルストランス部２２には、電源部２３とドライバ・レシーバ部２４が接続されている。
【００２１】
電源部２３は、パルストランス部２２で分離された直流電源を、このアダプタ内の各部に必要な電圧に変換して供給するもので、ＤＣ（直流）−ＤＣコンバータ等で構成されている。ドライバ・レシーバ部２４は、多機能電話機Ｉ／Ｆ側から受信したＡＭＩ符号信号をディジタルデータに変換すると共に、この多機能電話機Ｉ／Ｆ側へ送信するディジタルデータをＡＭＩ符号信号に変換して出力するものである。ドライバ・レシーバ部２４のディジタルデータ側には、多重分離手段（例えば、データ送受信部）２５が接続されている。
【００２２】
データ送受信部２５は、多機能電話機Ｉ／Ｆ側から受信したディジタルデータを音声データと制御データに分離すると共に、多機能電話機Ｉ／Ｆ側へ送信する音声データと制御データを多重化してディジタルデータを生成するものである。データ送受信部２５の制御データは、このアダプタ全体の制御を行う処理制御手段（例えば、制御部）２６との間で入出力され、音声データは符号復号手段（例えば、ＣＯＤＥＣ：COder-DECoder)部２７との間で入出力されるようになっている。
【００２３】
ＣＯＤＥＣ部２７は、ボタン電話装置側から受信したディジタルの音声データをアナログの音声信号に変換すると共に、ドアホン側から与えられたアナログの音声信号をこのボタン電話装置側へ送信するためにディジタルの音声データに変換するものである。ＣＯＤＥＣ部２７でアナログに変換された音声信号は、音声検出回路２８とレベル調整手段（例えば、可変受話利得回路）２９へ出力されるようになっている。また、ＣＯＤＥＣ部２７に対する音声信号は、レベル調整手段（例えば、可変送話利得回路）３０から与えられるようになっている。
【００２４】
音声検出回路２８は、受信した音声信号を一定レベルで検出してボタン電話装置側からの音声信号の有無を判別するものである。可変受話利得回路２９は、ＣＯＤＥＣ部２７から出力される音声信号の他、呼出音送出回路３１から出力される呼出音の受話利得を制御部２６からの制御に基づいて調整するものである。可変送話利得回路３０は、呼出音送出回路３１から出力される呼出音とレベル調整手段（例えば、可変送話利得回路）３２から出力される音声信号の送話利得を、音声検出回路２８の検出信号によって抑制するものである。これによって、受話信号のドアホン内の音響結合によるハウリングを防止することができるようになっている。
【００２５】
可変送話利得回路３２は、送話利得を制御部２６からの制御に基づいて調整するものである。可変送話利得回路３２の入力側と可変受話利得回路２９の出力側は、ハイブリッド・トランス部３３を介してドアホン接続部３４に接続されている。ハイブリッド・トランス部３３は、ドアホン側とのインピーダンス整合と２線−４線変換を行うものである。
【００２６】
ドアホン接続部３４には、ボタン押下検出回路３５、電源供給回路３６、及び電圧検出手段（例えば、電圧検出回路）３７が接続されている。ボタン押下検出回路３５は、ドアホン側の呼出ボタンが押下されたことを検出し、制御部２６へ通知するものである。電源供給回路３６は、制御部２６からの指示に基づいてドアホンのマイクロホンに直流電圧を供給するものである。また、電圧検出回路３７は、直流電圧供給時にドアホンの線間電圧を監視して、制御部２６へ通知するものである。
【００２７】
制御部２６には、このドアホン・アダプタの状態を表示する表示部３８、手動操作によって各種の設定を行うための操作部３９が接続されている。更に、この制御部２６には、電圧検出回路３７によって検出された直流電圧供給時の検出電圧に基づいて、ドアホン・アダプタを最適な状態に設定するための情報が記憶されたメモリ部４０が接続されている。
【００２８】
図３は、図１のドアホン・アダプタとボタン電話装置及びドアホンの接続形態を示す図であり、図４は、図３のボタン電話装置とドアホン・アダプタ間の制御シーケンスを示す図である。以下、この図３及び図４を参照しつつ、図１の動作を説明する。
【００２９】
図３に示すように、ドアホン・アダプタ２０は、ボタン電話装置１０とドアホン５の間に接続される。即ち、図１中の回線接続部２１及びドアホン接続部３４が、それぞれボタン電話装置１０の多機能電話機Ｉ／Ｆ１３とドアホン５に接続される。
【００３０】
ドアホン・アダプタ２０とボタン電話装置１０の接続が完了すると、このボタン電話装置１０の多機能電話機Ｉ／Ｆ１３から、ドアホン・アダプタ２０の回線接続部２１に、ＡＭＩ符号信号に重畳された直流電圧が与えられる。直流電圧は、パルス・トランス部２２を介して電源部２３に与えられ、所定の電圧に変換されてドアホン・アダプタ２０内の各部に供給される。これにより、ドアホン・アダプタ２０は動作が可能になり、制御部２６の制御によって初期動作が開始される。この初期動作の一環として、図４に示すように、ボタン電話装置１０との間で、ＡＭＩ符号信号の同期確立等のデータリンクの確立処理が行われる。
【００３１】
データリンクが確立すると、ボタン電話装置１０側から送られてくるＡＭＩ符号信号は、パルス・トランス部２２を介してドライバ・レシーバ部２４に与えられ、受信データとしてデータ送受信部２５に入力される。受信データは、データ送受信部２５において制御データと音声データに分離され、制御データは制御部２６側へ出力され、音声データはＣＯＤＥＣ部２７側へ出力されるようになる。また、ＣＯＤＥＣ部２７から出力される音声データと、制御部２６から出力される制御データは、データ送受信部２５によって多重化され、送信データとしてドライバ・レシーバ部２４に与えられる。送信データは、ドライバ・レシーバ部２４においてＡＭＩ符号信号に変換され、パルス・トランス部２２から回線接続部２１を介してボタン電話装置１０側へ送信されるようになる。
【００３２】
次に、ドアホン・アダプタ２０からボタン電話装置１０へ、「ターミナルクラス」の識別符号が送信される。ターミナルクラスは、ボタン電話装置１０に対して多機能電話機であるのかドアホン・アダプタであるのかを通知するもので、例えば多機能電話機は１、ドアホン・アダプタは２と規定されている。
【００３３】
ボタン電話装置１０では、ターミナルクラスの識別符号に基づいて、それに対応する初期設定用のデータをドアホン・アダプタ２０へダウンロードする。ダウンロードが完了すると、これに続けて、ボタン電話装置１０からドアホン・アダプタ２０へ、「オンライン」コマンドが送信される。「オンライン」コマンドにより、ドアホン・アダプタ２０は、ボタン電話装置１０との間で、コマンドやレスポンスの送受信が有効になる。そして、ドアホン・アダプタ２０からボタン電話装置１０へ、ドアホン５が通話状態でないことを示す「オンフック」状態データが送信され、待機状態となる。
【００３４】
この後、一定時間間隔でヘルスチェック・シーケンスが繰り返される。ヘルスチェック・シーケンスは、ボタン電話装置１０からドアホン・アダプタ２０側の状態を確認するための「ヘルスチェック要求」データを送信し、ドアホン・アダプタ２０からボタン電話装置１０側へ異常のないことを通知するための「ヘルスチェック応答」データを送信するものである。もしも「ヘルスチェック要求」データに対して、ドアホン・アダプタ２０から所定の時間内に「ヘルスチェック応答」データが戻らない場合、ボタン電話装置１０ではタイムアウト処理の後、リセット処理のためのコマンドを送信するようになっている。
【００３５】
次に、ドアホン５の呼出ボタン５ａが一定時間継続して押下されると、その状態がボタン押下検出回路３５で検出されて制御部２６に通知される。そして、制御部２６からボタン電話装置１０に「オフフック」状態データが送信される。これに基づいて、ボタン電話装置１０からドアホン・アダプタ２０に、受信のみの「パス接続」コマンドが送信される。またボタン電話装置１０では、予め鳴動可能に設定された多機能電話機や一般の電話機に対する受話のみのパス接続が行われる。
【００３６】
これにより、呼出音送出回路３１で呼出音が生成され、可変受話利得回路２９、ハイブリッド・コイル部３３、及びドアホン接続部３４を介してドアホン５に呼出音が出力される。また呼出音は、可変送話利得回路３０、ＣＯＤＥＣ部２７、データ送受信部２５、ドライバ・レシーバ部２４、パルス・トランス部２２、及び回線接続部２１を介してボタン電話装置１０へ与えられ、鳴動可能に設定された多機能電話機や電話機に呼出音が出力される。
【００３７】
呼出音に対して、いずれかの電話機が応答すると、ボタン電話装置１０によって、応答した電話機とドアホン・アダプタ２０との間で送受話のパス接続が行われ、ドアホン・アダプタ２０に送受話の「パス接続」コマンドが送信される。これにより、呼出音送出回路３１の動作は停止され、電源供給回路３６からドアホン５に対して送話用の直流電源が供給される。
【００３８】
電源供給回路３６から送話用の直流電源が供給された時、ドアホン接続部３４におけるドアホンの２線間の電圧が電圧検出回路３７によって検出され、その検出電圧が制御部２６へ出力される。制御部２６では、検出電圧に従ってメモリ部４０が検索され、このドアホン・アダプタ２０を最適な状態に設定するための情報が読み出される。そして、読み出された情報に基づいて、可変受話利得回路２９及び可変送話利得回路３２に対する利得制御が行われる。
【００３９】
これにより、ドアホン５と応答した電話機との間で、双方向の通話が可能になる。そして、ドアホン５側からの音声信号は、ハイブリッド・トランス部３３、可変送話利得回路３２，３０、ＣＯＤＥＣ部２７、データ送受信部２５、ドライバ・レシーバ部２４、及びパルス・トランス部２２を介してボタン電話装置１０側へ送信され、応答した電話機へ出力される。また、応答した電話機からの音声信号は、パルス・トランス部２２、ドライバ・レシーバ部２４、データ送受信部２５、ＣＯＤＥＣ部２７、可変受話利得回路２９、及びハイブリッド・トランス部３３を介してドアホン５に出力される。
【００４０】
この時、応答した電話機からの音声信号のレベルが音声検出回路２８によって検出され、この音声信号が一定レベルを越えると、可変送話利得回路３０の利得が抑制されて受話信号によるドアホン５内の音響結合によるハウリングが防止される。
【００４１】
ドアホン５と応答した応答した電話機との通話が終了し、この応答した電話機側が切断操作（オンフック）を行うと、ボタン電話装置１０からドアホン・アダプタ２０に、「パス切断」コマンドが送信される。これにより、ドアホン・アダプタ２０から、ボタン電話装置１０に「オンフック」状態データが送信され、このドアホン・アダプタ２０は待機状態に戻る。
【００４２】
このように、本実施形態のドアホン・アダプタは、次のような利点がある。
（１）  ボタン電話装置１０の多機能電話機Ｉ／Ｆに接続して用いるように構成しているので、ボタン電話装置１０側にドアホンＩ／Ｆ部を設ける必要がなくなる。これにより、ボタン電話装置１０のコストの低減と、小型化が可能になる。
【００４３】
（２）  ドアホン・アダプタであることを識別するためのターミナルクラスを送出する機能を有している。これにより、ボタン電話装置１０側での設定操作を簡素化することができる。
【００４４】
（３）  ドアホン接続部３４の電圧を検出する電圧検出回路３７と、この検出電圧に対して最適な設定情報を記憶したメモリ部４０を有している。これにより、ドアホン５の機種等に応じて、可変受話利得回路２９及び可変送話利得回路３２の利得を最適な状態に設定することが可能になる。
【００４５】
（４）  可変送話利得回路３２から出力される音声信号の送話利得を、音声検出回路２８の検出信号によって抑制する可変送話利得回路３０を有している。これにより、受話信号のドアホン内の音響結合によるハウリングを防止することができる。
【００４６】
なお、本発明は、上記実施形態に限定されず、種々の変形が可能である。この変形例としては、例えば、次のようなものがある。
（ａ）  ボタン電話装置１０とドアホン・アダプタ２０のインタフェースは、ＡＭＩ符号信号に直流電圧を重畳したものに限定されない。対象となるボタン電話装置１０に対応する多機能電話機のインタフェースに合わせる必要がある。
【００４７】
（ｂ）  ドアホン・アダプタ２０の電源は、ボタン電話装置１０側から供給されるようになっているが、独立した電源回路を設けても良い。
【００４８】
（ｃ）  ドアホン接続部３４の電圧に基づいてドアホン５に最適な状態を設定するための電圧検出回路３７及びメモリ部４０を有しているが、これらを省略して、可変受話利得回路２９及び可変送話利得回路３２を手動で設定するようにしても良い。
【００４９】
【発明の効果】
以上詳細に説明したように、第１の発明によれば、ボタン電話装置の多機能電話機Ｉ／Ｆにドアホンを接続するためのドアホン・アダプタを構成している。これにより、ボタン電話装置の本体内にドアホンＩ／Ｆを設ける必要がなくなり、ボタン電話装置本体のコストダウンと小型化が可能になる。
【００５０】
第２の発明によれば、送信及び受信の音声信号レベルを調整するためのレベル調整手段を有している。これにより、適正な音声レベルによる通話が可能になる。
【００５１】
第３の発明によれば、レベル調整手段を、符号復号手段で復号された音声信号のレベルに基づいて、ドアホンから与えられる音声信号のレベルを調整して復号手段に出力するように構成している。これにより、ドアホン側の音響結合によるハウリングを防止することが可能になる。
【００５２】
第４の発明によれば、ドアホンの２本の線に重畳された直流電圧を検出する電圧検出手段を有すると共に、処理制御手段を、検出された直流電圧に基づいて、レベル調整手段のレベル調整を制御するように構成している。これにより、人手による調整作業を必要とせずに、ドアホンの機種等に応じた最適な状態を設定することが可能になる。
【図面の簡単な説明】
【図１】本発明の実施形態を示すドアホン・アダプタの構成図である。
【図２】従来のボタン電話装置の一例を示す構成図である。
【図３】図１のドアホン・アダプタとボタン電話装置及びドアホンの接続形態を示す図である。
【図４】図３のボタン電話装置とドアホン・アダプタ間の制御シーケンスを示す図である。
【符号の説明】
５    ドアホン
１０    ボタン電話装置
１３    多機能電話機Ｉ／Ｆ
２０    ドアホン・アダプタ
２１    回線接続部
２２    パルス・トランス部
２３    電源部
２４    ドライバ・レシーバ部
２５    データ送受信部
２６    制御部
２７    ＣＯＤＥＣ部
２８    音声検出回路
２９    可変受話利得回路
３０，３２    可変送話利得回路
３１    呼出音送出回路
３３    ハイブリッド・トランス部
３４    ドアホン接続部
３５    ボタン押下検出回路
３６    電源供給回路
３７    電圧検出回路
【図１】
0004081279.tif 000002
【図２】
0004081279.tif 000003
【図３】
0004081279.tif 000004
【図４】
0004081279.tif 000005